(57)【要約】【課題】眼鏡を装着するための挿通部が形成されたフードにおいて、この挿通部からの頭髪の露出を防止し、さらに、挿通部から頭髪やフケがフード外に落下することを防止する。【解決手段】着用者の頭部を覆うフード本体２を有し、着用者の少なくとも目を露出させる開口部３と開口部３の両側に位置して眼鏡１６のつる１７を差し込み可能な挿通部６とがフード本体２に形成されたフード１において、フード本体２の内側に配置され、一端に挿通部６に接続された第１開口２０が形成されて他端に第２開口２１が形成された可撓性を有する筒状体７を備える。フード１の着用者が眼鏡１６を装着する場合、眼鏡１６のつる１７を挿通部６から差し込むと、つる１７は筒状体７内を通ってつる１７の先端側が第２開口２１から突出し、第２開口２１から突出したつる１７の先端側を耳に掛けることができる。【選択図】図２
2010265566.tif 000002
【特許請求の範囲】
【請求項１】
着用者の頭部を覆うフード本体を有し、前記着用者の少なくとも目を露出させる開口部と前記開口部の両側に位置して眼鏡のつるを差し込み可能な挿通部とが前記フード本体に形成されたフードにおいて、
前記フード本体の内側に配置され、一端に前記挿通部に接続された第１開口を有して他端に第２開口を有し、前記挿通部から差し込まれた前記眼鏡のつるを前記第２開口から突出させることが可能な可撓性を有する筒状体を備えることを特徴とするフード。
【請求項２】
前記筒状体は、前記第１開口から前記第２開口に向けて次第に細くなる形状に形成されていることを特徴とする請求項１記載のフード。
【請求項３】
前記筒状体は、前記フードを着用者が着用した場合に、上辺側が略水平向きとなって下辺側が斜め上方向きとなる形状に形成されていることを特徴とする請求項２記載のフード。
【請求項４】
前記筒状体は、前記第２開口側の端部が前記フード本体に縫い付けられていることを特徴とする請求項１ないし３のいずれか一項に記載のフード。
【請求項５】
前記筒状体は、２枚の布地を縫い合わせることにより扁平な形状に形成され、前記フード本体の裏面に沿った位置に配置されていることを特徴とする請求項１ないし４のいずれか一項に記載のフード。
【請求項６】
２枚の布地のうち前記フード本体の裏面に接する側に位置する一方の前記布地は、他方の布地より筒方向の長さ寸法が長く形成されていることを特徴とする請求項５記載のフード。
【請求項７】
前記筒状体は、伸縮可能な素材により形成されていることを特徴とする請求項１ないし６のいずれか一項に記載のフード。
【発明の詳細な説明】
【技術分野】
【０００１】
本発明は、食品、化学薬品、半導体部品等を取り扱う作業者が着用するフードに関する。
【背景技術】
【０００２】
食品、化学薬品、半導体部品等を取り扱う業界では、作業者の頭髪やフケが落下して製品に混入することを防止するため、作業者の頭部を覆うフードを採用している。このようなフードには、フードを着用した作業者（以下、「着用者」という）の顔、或いは、少なくとも着用者の目を露出させるための開口部が設けられている。
【０００３】
着用者が眼鏡を装着する場合、眼鏡のつるを開口部の縁部からフードの内側に差し込んで耳に掛けると、開口部の縁部と顔の側面部との間に隙間が生じ、その隙間から頭髪が露出し、頭髪やフケがフード外に落下する場合がある。そこで、眼鏡を装着した場合に開口部の縁部と顔の側面部との間に隙間が生じないようにしたフードとして、下記特許文献１、２に記載されたものが知られている。
【０００４】
下記特許文献１、２に記載されたフードにおいては、フードの一部であって着用者の顔の側面部を覆う位置に一対の挿通部が形成され、これらの挿通部から眼鏡のつるを差し込んで耳に掛けることにより眼鏡の装着が行われている。
【０００５】
なお、特許文献１に記載されたフードでは、フードの本体部を製造する過程で２枚の布地を重ね合わせて縫い付ける場合に、２枚の布地の重なり部分の一部を縫い付けないことにより挿通部を形成している。
【０００６】
また、特許文献２に記載されたフードでは、フードの本体部を構成する布地の裏面側であって開口部の縁部に対向する位置に矩形状布片を配置し、この矩形状布片の上端側と下端側とをフードの本体部に縫い付けることによりフードの本体部と矩形状布片との間に挿通部を形成している。
【先行技術文献】
【特許文献】
【０００７】
【特許文献１】特許第３６２３４４４号公報
【特許文献２】特許第４００７９７９号公報
【発明の概要】
【発明が解決しようとする課題】
【０００８】
しかしながら、特許文献１、２等に記載されたフードにおいては、以下の点について考慮されていない。
【０００９】
挿通部は、２枚の布地が重なり合った間に形成されているため、眼鏡を着脱したり、フードを被り直した場合等に挿通部が開いた状態となり、挿通部から頭髪が露出し、頭髪やフケが挿通部からフード外に落下する場合がある。
【００１０】
また、眼鏡には様々なデザインのものがあり、レンズ側の部分が太いつるの眼鏡を使用できるように挿通部の上下方向の幅寸法を大きくしてほしいという要望がある。しかし、挿通部の上下方向の幅寸法を大きくすると、それに伴なって頭髪がより一層挿通部から露出しやすくなる。
【００１１】
本発明はこのような課題を解決するためになされたもので、その目的は、眼鏡を装着するための挿通部がフードに形成されている場合において、その挿通部からの頭髪の露出を防止することができ、さらに、頭髪やフケが挿通部からフード外に落下することを防止できるフードを提供することである。
【課題を解決するための手段】
【００１２】
本発明の実施の形態に係る特徴は、着用者の頭部を覆うフード本体を有し、前記着用者の少なくとも目を露出させる開口部と前記開口部の両側に位置して眼鏡のつるを差し込み可能な挿通部とが前記フード本体に形成されたフードにおいて、前記フード本体の内側に配置され、一端に前記挿通部に接続された第１開口を有して他端に第２開口を有し、前記挿通部から差し込まれた前記眼鏡のつるを前記第２開口から突出させることが可能な可撓性を有する筒状体を備えることである。
【発明の効果】
【００１３】
本発明によれば、眼鏡のつるを差し込む挿通部には筒状体が接続されているため、フードの着用者の頭髪が挿通部から露出することを防止することができ、さらに、頭髪やフケが挿通部からフード外に落下することを防止することができる。
【図面の簡単な説明】
【００１４】
【図１】フードを示す正面図である。
【図２】フードを示す側面図である。
【図３】フードを示す背面図である。
【図４】フードの正面側を示す裏面図である。
【発明を実施するための形態】
【００１５】
以下、本発明の一実施の形態を図面を参照して説明する。食品、化学薬品、半導体部品等を取り扱う業務に従事する作業者（以下、着用者Ｐという。）が着用するフード１は、着用者Ｐの頭部と首部と肩部とを覆うフード本体２を有し、このフード本体２には、開口部３と、つば４と、マスク掛け５と、挿通部６と、筒状体７とが設けられている。
【００１６】
フード本体２は、頭頂部用布片８と、額用布片９と、一対の側部用布片１０と、後部用布片１１とを縫い付けることにより形成されている。
【００１７】
頭頂部用布片８は、フード１を着用した着用者Ｐの頭頂部を覆う部分であり、略円形に形成されている。この頭頂部用布片８の周縁部には、額用布片９と一対の側部用布片１０と後部用布片１１とが縫い付けられている。
【００１８】
額用布片９は、フード１を着用した着用者Ｐの額を覆う部分であり、額用布片９の上縁部９ａが頭頂部用布片８の周縁部に縫い付けられている。
【００１９】
側部用布片１０は、フード１を着用した着用者Ｐの顔の側面部と、首部の前部及び側部と、肩部の側部とを覆う部分であり、側部用布片１０の上縁部１０ａが頭頂部用布片８の周縁部に縫い付けられている。また、側部用布片１０の一方の側縁部１０ｂは、上部側が額用布片９の側縁部９ｂに縫い付けられ、下部側が他方の側部用布片１０の側縁部１０ｂの下部側に縫い付けられている。一対の側部用布片１０の側縁部１０ｂの下部側同士の縫い付けは、フード１を着用した着用者Ｐの正面側となる位置で行なわれている。側部用布片１０の下端側は、スカート状に広がる形状に形成されている。
【００２０】
後部用布片１１は、フード１を着用した着用者Ｐの後頭部と、首部の後部と、肩部の後部とを覆う部分であり、後部用布片１１の上縁部１１ａが頭頂部用布片８の周縁部に縫い付けられている。また、後部用布片１１の一対の側縁部１１ｂが、一対の側部用布片１０の他方の側縁部１０ｃに縫い付けられている。後部用布片１１の下端側は、スカート状に広がる形状に形成されている。後部用布片１１における着用者Ｐの後頭部略中央部に対向する位置には、着用したフード１を着用者Ｐに密着させるためのアジャスタゴム１２が取付けられている。
【００２１】
開口部３は、フード１を着用した着用者Ｐの顔のうち少なくとも目を含む部分を露出させる部分であり、額用布片９と一対の側部用布片１０とに囲まれて形成されている。開口部３の周縁部には、伸縮性を有するニット材などにより形成され、アジャスタゴム１２の作用により着用者Ｐの顔面に密着する密着用布片１３が縫い付けられている。
【００２２】
つば４は、照明光が直接目に入ることを防止する部材であり、開口部３の上縁部に沿って額用布片９に縫い付けられている。
【００２３】
マスク掛け５は、フード１を着用した着用者Ｐがマスク１４を装着する場合に、マスク１４の紐１５を引掛ける部分である。マスク掛け５は、プラスチック或いは適宜な硬度を有する布により円板状に形成され、側部用布片１０の外側面であってフード１を着用した着用者Ｐの耳の近くとなる位置に取付けられている。なお、マスク掛け５の取付け位置は側部用布片１０に限定されるものではなく、後部用布片１１でもよく、又は、側部用布片１０と後部用布片１１との縫い合わせ部であってもよい。
【００２４】
挿通部６は、側部用布片１０の側縁部１０ｂと額用布片９の側縁部９ｂとを縫い付ける場合、その一部を縫い付けないことにより形成されている。挿通部６は開口部３の両側に位置して一対形成されており、この挿通部６からは眼鏡１６のつる１７が差し込み可能とされている。挿通部６の上下方向の幅寸法“Ｌ”は、様々な眼鏡１６のつる、特に、眼鏡のレンズ側の部分が太いつるであっても差し込み可能となる寸法に形成されている。
【００２５】
筒状体７は、ニット等の伸縮可能な素材からなる２枚の布地（第１布地１８、第２布地１９）を縫い合わせることにより、一端に第１開口２０を有して他端に第２開口２１を有する可撓性を有する扁平な筒状に形成され、フード本体２内にフード本体２の裏面に沿って配置されている。
【００２６】
筒状体７の第１開口２０は挿通部６に接続され、他端側の第２開口２１が解放されている。挿通部６及び第１開口２０から差し込まれた眼鏡１６のつる１７が、筒状体７の内部を通って第２開口２１から突出可能とされている。
【００２７】
筒状体７を形成している第１布地１８と第２布地１９とのうち、フード本体２の裏面に接する側に位置する第１布地１８は、第２布地１９より筒方向の長さ寸法が長く形成されている。そして、筒状体７における第２開口２１側の端部であるとともに第１布地１８における第２布地１９により長い部分が、フード本体２の裏面に縫い付けられている。第２開口２１側の端部をフード本体２の裏面側に縫い付けられた筒状体７は、第２開口２１がフード１を着用した着用者Ｐの耳の近くで開放されるように位置付けられている。
【００２８】
また、筒状体７は、挿通部６に接続された第１開口２０側から他方の第２開口２１側に向けて次第に細くなる形状に形成されている。さらに、筒状体７は、フード１を着用者Ｐが着用した場合に、筒状体７の上辺側が略水平向きとなって筒状体７の下辺側が斜め上方向きとなる形状に形成されている。
【００２９】
このような構成において、食品、化学薬品、半導体部品等を取り扱う作業に従事する作業者（着用者Ｐ）は、作業時にフード１を着用する。
【００３０】
さらに、フード１の着用者Ｐは、フード１を着用した後にマスク１４を掛け、眼鏡１６を必要とする着用者Ｐは眼鏡１６を装着する。
【００３１】
着用者Ｐがフード１を着用することにより、着用者Ｐの頭部と首部と肩部とがフード１により覆われ、頭髪やフケがフード１外に落下することや落下した頭髪やフケが製品に混入することを防止することができる。
【００３２】
また、着用者Ｐがマスク１４を掛けることにより、唾などの飛散を防止することができる。マスク１４は、フード１を着用した後にマスク掛け５を利用してフード１の上から掛けることができる。このため、休息時などにはフード１を取外すことなくマスク１４のみを容易に取外すことができ、休息後には容易にマスク１４を掛けることができる。
【００３３】
ここで、フード本体２には、眼鏡１６を装着する場合に眼鏡１６のつる１７を差し込む挿通部６と、一端側に形成された第１開口２０が挿通部６に接続されて他端側に形成された第２開口２１が耳の近くで開放された筒状体７とが設けられている。このため、フード１の着用者Ｐの頭髪が挿通部６から露出することを防止することができ、頭髪やフケが挿通部６からフード１外に落下することや落下した頭髪やフケが製品に混入することを防止することができる。そして、挿通部６の上下方向の幅寸法“Ｌ”を大きくした場合であっても、挿通部６からの頭髪の露出を確実に防止することができる。
【００３４】
しかも、この筒状体７は、挿通部６に接続された第１開口２０側から第２開口２１側に向けて次第に細くなる形状に形成されているため、挿通部６からの頭髪の露出をより一層防止することができる。
【００３５】
フード１の着用者Ｐが眼鏡１６を装着する場合には、眼鏡１６のつる１７の先端部を挿通部６に臨んで位置させ、つる１７を挿通部６から筒状体７内に向けて差し込む。挿通部６から差し込まれたつる１７の先端側は、筒状体７における略水平向きとなった上辺側に当たって筒状体７内を第２開口２１側へ案内され、つる１７の先端側が第２開口２１から突出する。第２開口２１は、フード１の着用者Ｐの耳の近くに位置して開放されているため、第２開口２１から突出したつる１７を容易に耳に掛けることができる。
【００３６】
また、筒状体７は、挿通部６に接続された第１開口２０側から第２開口２１側に向けて次第に細くなる形状に形成されているため、第２開口２１側へのつる１７の案内をスムーズに行なうことができ、フード１の着用者Ｐの耳の近くで開放されている第２開口２１から突出したつる１７を精度良く耳に導くことができる。
【００３７】
なお、フード１の着用者Ｐが眼鏡１６を装着する場合には、つる１７を斜め上方向きに移動させながら行なうことが多く、筒状体７の上辺側を略水平向きとするとともに下辺側を斜め上方向きとすることにより、眼鏡１６の装着をスムーズに行なうことができる。
【００３８】
また、筒状体７は、第１布地１８と第２布地１９とを縫い付けて扁平な形状に形成され、フード本体２の裏面側に沿った位置に配置されている。このため、フード１を着用した場合に筒状体７が邪魔にならず、眼鏡１６を掛けない着用者Ｐもフード１を違和感なく着用することができる。
【００３９】
また、筒状体７は、ニット等の伸縮可能な素材により形成されているため、筒状体７内に向けて差し込まれた眼鏡１６のつる１７が筒状体７の内周面に当たった場合に、筒状体７はつる１７に押された方向に伸び、つる１７は進行を妨げられることなく筒状体７内をスムーズに進行し、第２開口２１から突出する。
【００４０】
また、筒状体７は、第２開口２１側の端部がフード本体２に縫い付けられているため、第２開口２１をフード１の着用者Ｐの耳の近くに安定して位置させることができる。さらに、筒状体７がフード本体２に縫い付けられていることにより、眼鏡１６を外す場合に、筒状体７がつる１７に絡まった状態で挿通部６から引き出されるということを防止することができる。なお、フード本体２への筒状体７の縫い付けは、第１布地１８における第２布地１９より筒方向の長さ寸法が長く形成された部分を利用して行なわれているため、フード本体２への筒状体７の縫い付け作業を容易に行なうことができる。
【符号の説明】
【００４１】
１      フード
２      フード本体
３      開口部
６      挿通部
７      筒状体
１６    眼鏡
１７    つる
１８、１９  布地
２０    第１開口
２１    第２開口
【図１】
2010265566.tif 000003
【図２】
2010265566.tif 000004
【図３】
2010265566.tif 000005
【図４】
2010265566.tif 000006